(57)【要約】      （修正有）【課題】携帯端末で撮影をする際に撮影の邪魔になったり撮影時の見た目が悪くなったりしない、携帯端末用カバーを提供する。【解決手段】カバー本体１１と、端末支持プレート１２と、を備え、カバー本体１１は、カメラ機能を有する携帯端末１の画面２を覆う表面カバー部材１３と、携帯端末１の画面２とは反対側の面３を覆う裏面カバー部材１４と、表面カバー部材１３と裏面カバー部材１４とを開閉自在に連結する連結部１５と、を備える。端末支持プレート１２は、携帯端末１の画面２とは反対側の面３のうちカメラレンズ部を除く部分の少なくとも一部が接着される端末支持プレートであり、連結部１５にのみ固着され、連結部１５への固着部１９を中心として揺動自在とされる。【選択図】図２
2017046088.tif 000002
【特許請求の範囲】
【請求項１】
カバー本体と、端末支持プレートと、を備え、前記カバー本体は、カメラ機能を有する携帯端末の画面を覆う表面カバー部材と、前記携帯端末の前記画面とは反対側の面を覆う裏面カバー部材と、前記表面カバー部材と前記裏面カバー部材とを開閉自在に連結する連結部と、を備え、前記端末支持プレートは、前記携帯端末の前記画面とは反対側の面のうちカメラレンズ部を除く部分の少なくとも一部が接着される端末支持プレートであり、該端末支持プレートが前記連結部にのみ固着され、該連結部への固着部を中心として前記端末支持プレートが揺動自在である、携帯端末用カバー。
【請求項２】
前記カバー本体上で前記端末支持プレートを斜めに支持するスタンドを備える、請求項１に記載の携帯端末用カバー。
【請求項３】
前記カバー本体の内面に、前記端末支持プレートの厚みの少なくとも一部を収容する凹部が形成される、請求項１又は２に記載の携帯端末用カバー。
【請求項４】
前記端末支持プレートの携帯端末取付面とは反対側の面が面ファスナーによって前記カバー本体に対して着脱自在とされる、請求項１，２又は３に記載の携帯端末用カバー。
【発明の詳細な説明】
【技術分野】
【０００１】
本発明は、カメラ機能を有する平板状の携帯端末を保護する携帯端末用カバーに関するものである。
【背景技術】
【０００２】
平板状の携帯端末を保護するための携帯端末用カバーとして、図６に示すような手帳型のものが知られている。この携帯端末用カバーは、折り畳み式のカバー本体６０を備える。このカバー本体６０は、携帯端末１の画面２を覆う表面カバー部材６１と、前記携帯端末１の前記画面２とは反対側の面３を覆う裏面カバー部材６２と、前記表面カバー部材６１と前記裏面カバー部材６２とを開閉自在に連結する連結部６３と、を備える。連結部６３の可撓性により、表面カバー部材６１と裏面カバー部材６２とが手帳のように開いたり閉じたりできる。
【０００３】
前記カバー本体６０には、携帯端末１を取り付けるための四角形の端末支持プレート６４が固着されている。この端末支持プレート６４は、繰り返し使用可能な粘着面６５を有する。端末支持プレート６４は、粘着面６５とは反対側の面６６が裏面カバー部材６２の内面に対して面接触するように裏面カバー部材６２上に載置される。そして、端末支持プレート６４の一辺６７が裏面カバー部材６２の反連結部側の長辺６８に沿って縫着される。端末支持プレート６４は、携帯端末１を接着したときに、携帯端末１の画面２とは反対側の面３にあるカメラレンズ部を塞いでしまわないように、サイズとカバー本体６０上での配設位置とが定められている。
【０００４】
図７に示すように、端末支持プレート６４の粘着面６５に、携帯端末１の裏面３が固着される。この状態で、図７に仮想線で示すように、表面カバー部材６１と裏面カバー部材６２とを閉じることで、カバー本体６０によって携帯端末１が保護される。
【０００５】
携帯端末の使用時には、図７に実線で示すように、表面カバー部材６１を開く。これにより、携帯端末１の画面２が露出するので、この画面２に対してタッチ式で入力操作を行い、画面２に表示される情報を読み取ることができる。
【発明の概要】
【発明が解決しようとする課題】
【０００６】
一方、携帯端末１をカメラとして使用する場合には、裏面カバー部材６２上で縫着部６９を中心として端末支持プレート６４を１８０度回動させ、図８に示すように、携帯端末１のカメラレンズ部が被写体向きとなるようにカバー付の携帯端末１を持ち替える。このとき、従来の構成では、端末支持プレート６４からカバー本体６０が開いた状態で垂れ下がる形になるので、撮影の邪魔になったり、撮影時の見た目が悪くなったりする欠点がある。
【０００７】
本発明は、前記のような事情に鑑みてなされたものであり、携帯端末で撮影をする際に撮影の邪魔になったり撮影時の見た目が悪くなったりしない、携帯端末用カバーを提供しようとするものである。
【課題を解決するための手段】
【０００８】
前記課題を解決するため、本発明に係る携帯端末用カバーは、カバー本体と、端末支持プレートと、を備え、前記カバー本体は、カメラ機能を有する携帯端末の画面を覆う表面カバー部材と、前記携帯端末の前記画面とは反対側の面を覆う裏面カバー部材と、前記表面カバー部材と前記裏面カバー部材とを開閉自在に連結する連結部と、を備え、前記端末支持プレートは、前記携帯端末の前記画面とは反対側の面のうちカメラレンズ部を除く部分の少なくとも一部が接着される端末支持プレートであり、該端末支持プレートが前記連結部にのみ固着され、該連結部への固着部を中心として前記端末支持プレートが揺動自在であることを特徴とする（請求項１）。
【０００９】
本発明によれば、端末支持プレートに携帯端末が接着される。具体的には、携帯端末の画面とは反対側の面のうちカメラレンズ部を除く部分の少なくとも一部が、端末支持プレートに接着される。そして、表面カバー部材と裏面カバー部材とを連結する連結部にのみ端末支持プレートが固着され、該連結部への固着部を中心として端末支持プレートが揺動自在である。このため、携帯端末での撮影時には、撮影者は、端末支持プレートを連結部上で起立させて携帯端末のカメラレンズ部を被写体に向け、表面カバー部材と裏面カバー部材とを連結部を中心として逆方向に折り重ねるようにして、携帯端末のシャッターボタンを押すことができる。これにより、撮影時にはカバー本体がコンパクトにまとまるので、カバー本体が撮影の邪魔になったり撮影時の見た目が悪くなったりしない。
【００１０】
好適な実施の一形態として、前記カバー本体上で前記端末支持プレートを斜めに支持するスタンドを備える態様を例示する（請求項２）。この場合、机等の面上でカバー本体を広げ、スタンドによって端末支持プレートを斜めに支持することで、手放しで携帯端末の画面を見ることができる。
【００１１】
好適な実施の一形態として、前記カバー本体の内面に、前記端末支持プレートの厚みの少なくとも一部を収容する凹部が形成される態様を例示する（請求項３）。このようにすれば、端末支持プレートに携帯端末を取り付けた状態でカバー本体を折り畳むと、端末支持プレートの厚みの少なくとも一部が凹部に収容される。このため、凹部がない場合に比べて、折り畳み状態における全体の厚みが薄くなるので、コンパクト性が向上するとともに、美観も良好となる。
【００１２】
好適な実施の一形態として、前記端末支持プレートの携帯端末取付面とは反対側の面が面ファスナーによって前記カバー本体に対して着脱自在とされる態様を例示する（請求項４）。この場合、携帯端末をカメラとして使用する場合を除いて、端末支持プレートが面ファスナーによってカバー本体に接合される。このため、連結部に対する端末支持プレートの固着部に余計な負荷がかからない。よって、連結部に対する端末支持プレートの固着部が破損し難くなり、好適である。携帯端末をカメラとして使用する場合には、面ファスナーによるカバー本体への端末支持プレートの接合を解除すればよい。
【図面の簡単な説明】
【００１３】
【図１】本発明の実施の一形態に係る携帯端末用カバーの展開正面図である。
【図２】図１の携帯端末用カバーに携帯端末を取り付けてカバー本体を閉じた状態の説明図である。
【図３】図１の携帯端末用カバーに携帯端末を取り付けて端末支持プレートを左へ１８０度回動させた状態の展開正面図である。
【図４】図２のカバー付き携帯端末をカメラとして使用する場合の使用状態図である。
【図５】図２のカバー付き携帯端末において、カバー本体を開いてスタンドを立てた状態の説明図である。
【図６】従来の携帯端末用カバーの展開正面図である。
【図７】図６の携帯端末用カバーに携帯端末を取り付けた状態の説明図である。
【図８】図７のカバー付き携帯端末をカメラとして使用する場合の使用状態図である。
【発明を実施するための形態】
【００１４】
以下、添付図面を参照して、本発明の実施の形態について説明する。
【００１５】
図１に示すように、本発明の実施の一形態に係る携帯端末用カバー１０は、開閉自在なカバー本体１１と、このカバー本体１１に取り付けられる端末支持プレート１２と、を備える。平板状の携帯端末１は、端末支持プレート１２に接着されることにより、カバー本体１１と一体化される。図２に示すように、カバー本体１１は、端末支持プレート１２に接着された携帯端末１を挟んでこれを保護する。
【００１６】
図１及び図２に示すように、カバー本体１１は、表面カバー部材１３と、裏面カバー部材１４と、これらのカバー部材１３，１４を開閉自在に連結する連結部１５と、を備える。表面カバー部材１３は、カメラ機能を有する携帯端末１の画面（表面）２を覆うカバー部材である。裏面カバー部材１４は、携帯端末１の画面２とは反対側の面（裏面）３を覆うカバー部材である。連結部１５は、表面カバー部材１３と裏面カバー部材１４との開閉に適する柔軟性と、繰り返しの開閉に耐え得る耐久性とを有する。
【００１７】
本発明の要旨とは関係がないので詳細な図示は省略しているが、表面カバー部材１３と裏面カバー部材１４としては、いずれも、硬質の板状芯材の外面を柔軟な外皮で覆ったものを用いることができ、外皮の延長部を連結部１５として用いることができる。板状芯材としては、プラスチック板や厚紙等を用いることができ、外皮としては、皮革や柔軟なプラスチックシートや布等を用いることができる。
【００１８】
端末支持プレート１２は、携帯端末１の画面２とは反対側の面（裏面）３のうちカメラレンズ部１６（図３参照）を除く部分の少なくとも一部が接着されるプレートである。したがって、端末支持プレート１２は、携帯端末１を接着したときに、携帯端末１の画面２とは反対側の面３にあるカメラレンズ部１６を塞いでしまわないように、サイズとカバー本体１１上での配設位置とが定められる。図１に示すようにカバー本体１１を左右に開いた状態において、携帯端末１は、仮想線で示すように、長手方向が上下方向となるように、端末支持プレート１２に接着される。
【００１９】
図１の例では、端末支持プレート１２は、表面カバー部材１３及び裏面カバー部材１４よりも小さな面積とされ、携帯端末１のカメラレンズ部１６を塞がないように、裏面カバー部材１４の中央部よりもやや下に下げて配設されている。裏面カバー部材１４の中央部よりもやや下に下げて端末支持プレート１２を配設してあるのは、カメラ機能を有する携帯端末（例えばスマートフォン）においては、図３に示すように、画面２とは反対側の面３の中央部よりも上方にカメラレンズ部１６が配設されることが多いからである。これにより、端末支持プレート１２への携帯端末１の取付状態において、携帯端末１のカメラレンズ部１６が端末支持プレート１２で塞がれてしまうことが防止できる。
【００２０】
図１に示すように、端末支持プレート１２の携帯端末取付面１７は、あらかじめ接着剤が塗布されて、繰り返し使用可能な粘着面１７とされている。この粘着面１７は、携帯端末１の取付前には、剥離自在なカバーフィルム１８で覆われている。このカバーフィルム１８を剥がすことで粘着面１７が露出するので、この粘着面１７に携帯端末１の画面２とは反対側の面３を接着することで、携帯端末１を端末支持プレート１２に取り付けることができる。
【００２１】
端末支持プレート１２は、前記連結部１５にのみ固着され、該連結部１５への固着部１９を中心として、図１で見て左右に揺動自在である。連結部１５への固着方法としては、縫着や接着剤による接着等を採用することができる。端末支持プレート１２は、表面カバー部材１３及び裏面カバー部材１４と同様に、硬質の板状芯材の外面を柔軟な外皮で覆ったものを用いることができる。この場合、外皮の延長部分を連結部１５に対して固着すればよい。
【００２２】
なお、図１の例では、端末支持プレート１２は、カバー本体１１の右半部を占める裏面カバー部材１４上に配置され、端末支持プレート１２の左側の縦縁部１９が連結部１５に対して縫い付けて固着されている。
【００２３】
本実施の形態によれば、図３に示すように、携帯端末１の画面２とは反対側の面３のうちカメラレンズ部１６を除く部分の少なくとも一部が、端末支持プレート１２に接着される。これにより、カバー本体１１を左右に開いた状態で、カバー本体１１の右半部に携帯端末１の画面２が位置する。
【００２４】
携帯端末１での撮影時には、撮影者は、端末支持プレート１２を連結部１５上で起立させ、携帯端末１のカメラレンズ部１６を被写体に向ける。このとき、図４に示すように、表面カバー部材１３と裏面カバー部材１４とを連結部１５を中心として逆方向に折り重ねるようにして、携帯端末１の画面２を見ながら、カメラのシャッターボタンを押す。このように、撮影時には、表面カバー部材１３と裏面カバー部材１４とが重なることでカバー部材１１がコンパクトにまとまるので、カバー本体１１が撮影の邪魔になったり撮影時の見た目が悪くなったりしない。この効果は、図４と従来例の図８とを見比べると一目瞭然である。
【００２５】
また、図８に示すように、従来例では、携帯端末１とカバー本体６０との間にほとんど隙間がとれない。このため、図８において携帯端末１の下縁１ａにシャッターボタンが配設されている場合には、シャッターボタンの押し操作をし難いという問題がある。
【００２６】
これに対し、本実施の形態では、端末支持プレート１２が連結部１５に固着されるので、図４に示すように、携帯端末１を横長に保持して撮影を行う場合に、携帯端末１とカバー本体１１との間に従来例よりも大きな隙間を確保することができる。このため、図４において携帯端末１の下縁１ａにシャッターボタンが配設されている場合でも、シャッターボタンの押し操作をし易いという利点がある。
【００２７】
図１〜図５の実施の形態は、次のような他の特徴も備えている。
【００２８】
（１）図３に示すように、前記カバー本体１１の内面、具体的には、裏面カバー部材１１の内面には、端末支持プレート１２の厚みの少なくとも一部を収容する凹部２０が形成される。この凹部２０は、端末支持プレート１２の輪郭よりもやや大きい輪郭を有し、端末支持プレート１２の厚みの一部又は全部を収容することができるだけの深さを有する。このため、端末支持プレート１２に携帯端末１を取り付けた状態でカバー本体１１を折り畳むと、端末支持プレート１２の厚みの少なくとも一部が凹部２０に収容される。このため、カバー部材１１に凹部２０が形成されてない場合に比べて、カバー本体１１の折り畳み状態における全体の厚みが薄くなる。よって、コンパクト性が向上するとともに、美観も良好となる。
【００２９】
（２）図５に示すように、カバー本体１１上で端末支持プレート１２を斜めに支持するスタンド２１が配設される。このスタンド２１は薄板状に形成され、端末支持プレート１２とカバー本体１１との間に配設される。スタンド２１は、使用時にはカバー本体１１と端末支持プレート１２との間に斜めに架設され、不使用時には、端末支持プレート１２とカバー本体１１との間に収納される。
【００３０】
具体的には、一例として図３に示すように、スタンド２１の一端部２１ａ（使用状態での上端部）が端末支持プレート１２の携帯端末取付面１７とは反対側の面２２に固着され、この固着部２１ａを中心として、スタンド２１の他端部２１ｂ（使用状態での下端部）が揺動自在とされる。スタンド２１の使用時には、図５に示すように、机等の面２２上でカバー本体１１を広げ、端末支持プレート１２と裏面カバー部材１４との間にスタンド２１を斜めに架設する。これにより、裏面カバー部材１４上で端末支持プレート１２が斜めに支持されるので、手放しで携帯端末１の画面２を見ることができる。
【００３１】
なお、図３の変形例として、スタンド２１を、裏面カバー部材１４側に固着することもできる。
【００３２】
（３）図３に示すように、端末支持プレート１２のスタンド取付面２２（携帯端末取付面１７とは反対側の面）に、スタンド２１の厚みの少なくとも一部を収容する凹部２３が形成される。この凹部２３は、スタンド２１の輪郭よりもやや大きい輪郭を有し、薄板状のスタンド２１の厚みの一部又は全部を収容することができるだけの深さを有する。このため、スタンド２１の不使用状態では、スタンド２１の厚みの少なくとも一部が凹部２３に収容される。このため、スタンド収容凹部２３が形成されてない場合に比べて、カバー本体１１の折り畳み状態における全体の厚みが薄くなる。よって、コンパクト性が向上するとともに、美観も良好となる。
【００３３】
（４）図３に示すように、端末支持プレート１２の携帯端末取付面１７とは反対側の面２２が、面ファスナー２４（２４ａ，２４ｂ）によってカバー本体１１に対して着脱自在とされる。具体的には、対をなして面ファスナー２４を構成する第一の面ファスナー要素２４ａと第二の面ファスナー要素２４ｂのそれぞれが、端末支持プレート１２と裏面カバー部材１４のそれぞれに対して固着される。この構成により、端末支持プレート１２を裏面カバー部材１４上に重ね合わせると、第一の面ファスナー要素２４ａと第二の面ファスナー要素２４ｂとが係合し、端末支持プレート１２が裏面カバー部材１４に対して接合される。このため、連結部１５に対する端末支持プレート１２の固着部１９が破損しにくくなり、好適である。
【００３４】
携帯端末１を用いて撮影を行う際には、端末支持プレート１２を裏面カバー部材１４から引き剥がすようにする。これにより、第一の面ファスナー要素２４ａと第二の面ファスナー要素２４ｂとの係合が解除されるので、図４に示すように、端末支持プレート１２を連結部１５上で起立させて、動画撮影や写真撮影を行うことができる。
【符号の説明】
【００３５】
１    携帯端末
２    画面
１１    カバー本体
１２    端末支持プレート
１３    表面カバー部材
１４    裏面カバー部材
１５    連結部
１６    カメラレンズ部
１７    携帯端末取付面（粘着面）
１９    固着部
２１    スタンド
２０    凹部
２４    面ファスナー
【図１】
2017046088.tif 000003
【図２】
2017046088.tif 000004
【図３】
2017046088.tif 000005
【図４】
2017046088.tif 000006
【図５】
2017046088.tif 000007
【図６】
2017046088.tif 000008
【図７】
2017046088.tif 000009
【図８】
2017046088.tif 000010